(57)【要約】【課題】セキュアプリントの際に複数のドキュメントの中からユーザが従来よりも簡単に印刷対象を指定できるようにする。【解決手段】画像形成装置１に、印刷の対象であるドキュメントのドキュメント番号をユーザに入力させるためのテンキーと、そのユーザの認証を行うユーザ認証処理部１０１と、そのユーザの認証が成功した後、テンキーによって入力されたドキュメント番号に対応するドキュメントの印刷を行う印刷処理部１０３と、を設ける。【選択図】図４
2009298090.tif 000002
【特許請求の範囲】
【請求項１】
印刷の対象であるドキュメントを示す印刷対象情報をユーザに入力させるための入力手段と、
前記ユーザの認証を行うユーザ認証手段と、
前記ユーザ認証手段によって前記ユーザの認証が成功した後、前記入力手段によって入力された前記印刷対象情報に示される前記ドキュメントの印刷を行う印刷手段と、
を有することを特徴とする印刷装置。
【請求項２】
前記ユーザ認証手段は、前記入力手段によって前記印刷対象情報が入力された後、前記ユーザの認証を行う、
請求項１記載の印刷装置。
【請求項３】
前記ドキュメントを印刷するための印刷データを他の装置から受信する受信手段、を有し、
前記印刷手段は、前記印刷対象情報に示される前記ドキュメントの印刷を、前記受信手段によって受信された当該ドキュメントの前記印刷データに基づいて行う、
請求項１または請求項２記載の印刷装置。
【請求項４】
前記受信手段は、前記ドキュメントの前記印刷データを、当該ドキュメントを識別するドキュメント識別情報とともに受信し、
前記入力手段によって前記印刷対象情報として前記ドキュメント識別情報が入力される、
請求項３記載の印刷装置。
【請求項５】
前記受信手段は、前記ドキュメントの前記印刷データを、当該ドキュメントを識別するドキュメント識別情報および前記ユーザを識別するユーザ識別情報とともに受信し、
前記入力手段によって前記印刷対象情報として前記ドキュメント識別情報が入力され、
前記印刷手段は、入力された前記ドキュメント識別情報および前記ユーザ識別情報とともに受信された前記印刷データに基づいて印刷を行う、
請求項３記載の印刷装置。
【請求項６】
前記ドキュメントを印刷するための印刷データを、当該印刷データの保存する記憶領域を識別する記憶領域識別情報とともに他の装置から受信する受信手段、を有し、
前記入力手段によって前記印刷対象情報として前記記憶領域識別情報が入力され、
前記印刷手段は、前記記憶領域識別情報に示される前記記憶領域に記憶されている前記印刷データに基づいて印刷を行う、
請求項２記載の印刷装置。
【請求項７】
印刷の対象であるドキュメントを示す印刷対象情報を入力手段によってユーザに入力させ、
前記ユーザの認証を行い、
前記ユーザの認証が成功した後、前記入力手段によって入力された前記印刷対象情報に示される前記ドキュメントの印刷を行う、
ことを特徴とする印刷方法。
【請求項８】
印刷装置を制御するためのコンピュータプログラムであって、
前記印刷装置に、
印刷の対象であるドキュメントを示す印刷対象情報をユーザに入力させるための処理を実行させ、
前記ユーザの認証の処理を実行させ、
前記ユーザの認証が成功した後、前記入力手段によって入力された前記印刷対象情報に示される前記ドキュメントの印刷の処理を実行させる、
ことを特徴とするコンピュータプログラム。
【発明の詳細な説明】
【技術分野】
【０００１】
本発明は、セキュアプリント機能を備えたＭＦＰなどの印刷装置および印刷方法などに関する。
【背景技術】
【０００２】
近年、印刷装置にＮＩＣ（Network Interface Card）が備えられるようになった。これにより、複数台のパーソナルコンピュータによって１台の印刷装置を共用することができるようになり、ハードウェア資源の効率的な使用およびコストの削減を図ることができるようになった。
【０００３】
１台のパーソナルコンピュータごとに１台の印刷装置を割り当て、両装置を１〜２ｍ程度のケーブル（例えば、ＵＳＢケーブル）で繋いで使用する場合であれば、ユーザは、そのパーソナルコンピュータを使用している間、その印刷装置を占有する。よって、自分がその印刷装置に印刷させたドキュメントの印刷物を、他のユーザに誤って持って行かれるおそれが少ない。しかし、複数台のパーソナルコンピュータで印刷装置を共用すると、印刷物を、他のユーザに誤って持って行かれるおそれが高くなる。
【０００４】
そこで、「セキュアプリント」または「機密プリント」などと呼ばれる機能が提案され実現されている。この機能によると、非特許文献１に記載されるように、印刷装置は、パーソナルコンピュータから印刷の指令を受けても、直ちには印刷を行わない。印刷の指令後、ユーザは、印刷装置に繋がれているカードリーダにＩＣカードをタッチしまたは印刷装置の液晶パネルにパスワードを入力する。そして、印刷装置は、そのユーザが正規の者であることを確認できたら、印刷を開始する。
【非特許文献１】コニカミノルタ社カラープリンタ”ｂｉｚｈｕｂ  Ｃ３５３Ｐ”製品カタログ第６頁，ＵＲＬ：http://konicaminolta.jp/business/products/copiers/bizhub＿printer/bizhub＿c353p/pdf/bizhub＿c353p.pdf”
【発明の開示】
【発明が解決しようとする課題】
【０００５】
ところで、ユーザは、複数のドキュメントの印刷の指令を１台の印刷装置に対して同時期に与えるが、それらのドキュメントのうちの一部を選択して先ず印刷させたいことがある。
【０００６】
非特許文献１に記載される方法によると、１ジョブごとに印刷の開始を指定することができるが、もっと簡単に印刷対象を指定できることが望まれる。
【０００７】
本発明は、このような課題に鑑み、セキュアプリントの際に複数のドキュメントの中からユーザが従来よりも簡単に印刷対象を指定できるようにすることを、目的とする。
【課題を解決するための手段】
【０００８】
本発明の一形態に係る画像形成装置は、印刷の対象であるドキュメントを示す印刷対象情報をユーザに入力させるための入力手段と、前記ユーザの認証を行うユーザ認証手段と、前記ユーザ認証手段によって前記ユーザの認証が成功した後、前記入力手段によって入力された前記印刷対象情報に示される前記ドキュメントの印刷を行う印刷手段と、を有する。
【０００９】
好ましくは、前記ユーザ認証手段は、前記入力手段によって前記印刷対象情報が入力された後、前記ユーザの認証を行う。
【００１０】
または、前記ドキュメントを印刷するための印刷データを他の装置から受信する受信手段、を有し、前記印刷手段は、前記印刷対象情報に示される前記ドキュメントの印刷を、前記受信手段によって受信された当該ドキュメントの前記印刷データに基づいて行う。
【００１１】
または、前記受信手段は、前記ドキュメントの前記印刷データを、当該ドキュメントを識別するドキュメント識別情報とともに受信し、前記入力手段によって前記印刷対象情報として前記ドキュメント識別情報が入力される。
【００１２】
または、前記受信手段は、前記ドキュメントの前記印刷データを、当該ドキュメントを識別するドキュメント識別情報および前記ユーザを識別するユーザ識別情報とともに受信し、前記入力手段によって前記印刷対象情報として前記ドキュメント識別情報が入力され、前記印刷手段は、入力された前記ドキュメント識別情報および前記ユーザ識別情報とともに受信された前記印刷データに基づいて印刷を行う。
【００１３】
または、前記ドキュメントを印刷するための印刷データを、当該印刷データの保存する記憶領域を識別する記憶領域識別情報とともに他の装置から受信する受信手段、を有し、前記入力手段によって前記印刷対象情報として前記記憶領域識別情報が入力され、前記印刷手段は、前記記憶領域識別情報に示される前記記憶領域に記憶されている前記印刷データに基づいて印刷を行う。
【発明の効果】
【００１４】
本発明によると、ユーザは、セキュアプリントの際に複数のドキュメントの中から印刷対象を従来よりも簡単に指定することができる。
【発明を実施するための最良の形態】
【００１５】
図１は画像処理システム３の全体的な構成の例を示す図、図２は画像形成装置１のハードウェア構成の例を示す図、図３は操作パネル１０ｆの例を示す図、図４は画像形成装置１の機能的構成の例を示す図である。
【００１６】
画像処理システム３は、図１に示すように、画像形成装置１、１台または複数台の端末装置２、および通信回線ＴＣなどによって構成される。画像形成装置１と端末装置２とは、通信回線ＴＣを介して互いに接続可能である。通信回線ＴＣとして、ＬＡＮ（Local Area Network）、インターネット、公衆回線、または専用線などが用いられる。
【００１７】
画像形成装置１は、コピー、スキャナ、ファックス、ネットワークプリンティング、およびドキュメントサーバなどの様々な機能を集約した処理装置である。複合機またはＭＦＰ（Multi Function Peripherals）などと呼ばれることもある。
【００１８】
「ドキュメントサーバ」とは、ユーザごとに「個人ボックス」または「ボックス」などと呼ばれる、パーソナルコンピュータにおけるフォルダまたはディレクトリに相当する記憶領域を設け、管理する機能である。そして、ユーザは、自分のボックスに画像データなどをファイル単位で保存しておくことができる。この機能は「ボックス機能」などと呼ばれることもある。
【００１９】
本画像形成装置１では、ボックスごとに２桁以上の数字からなるユニークなボックス番号が１つずつ付されている。
【００２０】
また、ネットワークプリンティングの機能によると、ユーザは、画像を用紙に印刷する指令を、端末装置２を操作して画像形成装置１に与えることができる。これにより、端末装置２にインストールされているワープロソフト、表計算ソフト、またはＷｅｂブラウザなどのアプリケーションソフトで作成しまたは収集した文書、図表、またはイラストなどからなるドキュメント（書類）を画像形成装置１に印刷させることができる。この機能は「ＰＣプリント機能」などと呼ばれることもある。
【００２１】
さらに、ユーザは、端末装置２から画像形成装置１に対して印刷の指令を与えてから直ちに印刷を実行させるのではなく、ユーザが画像形成装置１のところへ行きユーザＩＤなどを画像形成装置１に入力してから印刷を実行させることができる。これにより、印刷物を他人に誤って持って行かれることなく確実にユーザ本人が取得することができる。このようなネットワークプリンティングの方法は、一般に「セキュアプリント」などと呼ばれている。
【００２２】
端末装置２として、パーソナルコンピュータまたはワークステーションなどが用いられる。また、端末装置２には、画像形成装置１に対応したアプリケーションプログラムおよび画像形成装置１を制御するドライバＤＳ１がインストールされている。
【００２３】
画像形成装置１は、役所または企業などのオフィス、学校または図書館などの公共施設コンビニエンスストアなどの店舗、その他種々の場所に設置され、複数のユーザによって共用することができる。
【００２４】
画像形成装置１を使用するユーザには、１人ずつ１組のユーザＩＤおよびパスワードが与えられている。さらに、１人ずつ本人のユーザＩＤが記録されたＩＣ（Integrated Circuit）カード５０が与えられている。ユーザは、画像形成装置１を使用する際に、自分のユーザＩＤを用いて画像形成装置１にログインしなければならない。
【００２５】
画像形成装置１は、図２に示すように、ＣＰＵ（Central Processing Unit）１０ａ、ＲＡＭ（Random Access Memory）１０ｂ、ＲＯＭ（Read Only Memory）１０ｃ、ハードディスク１０ｄ、制御用回路１０ｅ、操作パネル１０ｆ、スキャナ１０ｇ、印刷装置１０ｈ、用紙載置部１０ｉ、ＬＡＮインタフェース１０ｊ、ＦＡＸモデム１０ｋ、ＲＦ（Radio Frequency）タグリーダ１０ｍ、および生体情報読取装置１０ｎなどによって構成される。
【００２６】
制御用回路１０ｅは、ハードディスク１０ｄ、操作パネル１０ｆ、スキャナ１０ｇ、印刷装置１０ｈ、用紙載置部１０ｉ、ＬＡＮインタフェース１０ｊ、ＦＡＸモデム１０ｋ、ＲＦタグリーダ１０ｍ、および生体情報読取装置１０ｎなどを制御するための回路である。
【００２７】
スキャナ１０ｇは、原稿に記されている文章、数式、記号、写真、図表、またはイラストなどの書類の画像を光学的に読み取って画像データを生成する。
【００２８】
用紙載置部１０ｉは、白紙の用紙をストックしており、用紙を印刷装置１０ｈに供給する。印刷装置１０ｈは、スキャナ１０ｇによって得られた画像データまたは端末装置２などから送信されてきた画像データに基づいて画像を用紙に印刷する。以下、説明の簡単のため、画像形成装置１で取り扱う用紙のサイズはすべて同一であるものとする。
【００２９】
ＬＡＮインタフェース１０ｊは、端末装置２などとＴＣＰ／ＩＰによって通信を行うためのＮＩＣ（Network Interface Card）である。
【００３０】
ＦＡＸモデム１０ｋは、ＦＡＸ端末とファックスプロトコルによって通信を行うための装置である。
【００３１】
操作パネル１０ｆは、図３に示すように、タッチパネル式の液晶ディスプレイ１０ｆ１およびキーボード１０ｆ２などによって構成される。
【００３２】
液晶ディスプレイ１０ｆ１には、ユーザに対してメッセージまたは指示を与えるための画面、ユーザが所望する処理条件またはユーザ自身のユーザＩＤなどを入力するための画面、およびＣＰＵ１０ａなどで実行された処理の結果を示す画面などが表示される。
【００３３】
キーボード１０ｆ２は、電源ボタン、テンキー、スタートボタン、およびストップボタンのほか、プリンタ、スキャナ、ファックス、コピー、およびヘルプなどの機能を呼び出すためのボタンによって構成される。
【００３４】
ユーザは、上記の画面を見ながら液晶ディスプレイ１０ｆ１またはキーボード１０ｆ２を操作することによって、画像形成装置１に対して、処理の実行開始または中断などの指令を与え、処理条件を指定し、ユーザＩＤなどを入力し、その他種々の事項を指定しまたは入力することができる。
【００３５】
ＲＦタグリーダ１０ｍは、ＲＦタグに記憶されているデータを読み取る読取装置である。「ＩＣカードリーダ」などと呼ばれることもある。特に、本実施形態では、ＲＦタグリーダ１０ｍは、ＩＣカード５０からユーザＩＤを読み取るために用いられる。
【００３６】
生体情報読取装置１０ｎは、ユーザの体の特徴の情報を読み取るための装置である。以下、生体情報読取装置１０ｎとして、指紋読取装置（指紋リーダ）が用いられる場合を例に説明する。
【００３７】
ＲＯＭ１０ｃまたはハードディスク１０ｄには、図４に示すユーザ認証処理部１０１、印刷指令等受付処理部１０２、印刷処理部１０３、印刷条件受付処理部１０４、実行可能ジョブ判別部１０５、ユーザデータ記憶部１２１、および印刷ジョブデータ記憶部１２２などの機能を実現するためのプログラムおよびデータが記憶されている。
【００３８】
これらのプログラムおよびデータは、主にセキュアプリントのために用いられる。これらのプログラムおよびデータは必要に応じてＲＡＭ１０ｂに読み出され、ＣＰＵ１０ａによってプログラムが実行される。図４に示す一部または全部がマイクロコンピュータまたはＡＳＩＣ（Application Specific Integrated Circuit）としてＬＳＩ化されて用いられることがある。
【００３９】
図５はユーザデータ６Ａの例を示す図、図６はユーザ認証処理の流れの例を説明するフローチャート、図７はドキュメント番号入力画面ＨＧ１の例を示す図、図８はデータ受信処理の流れの例を説明するフローチャート、図９は操作パネル処理の流れの例を説明するフローチャート、図１０はジョブ起動処理の流れの例を説明するフローチャート、図１１は印刷処理の流れの例を説明するフローチャート、図１２は読取処理の流れの例を説明するフローチャート、図１３は送信処理の流れの例を説明するフローチャートである。
【００４０】
次に、図４に示す画像形成装置１の各部および端末装置２によってセキュアプリントがどのように行われるかを詳細に説明する。
【００４１】
図４において、ユーザデータ記憶部１２１には、図５に示すように、ユーザごとのユーザデータ６Ａが記憶されている。ユーザデータ６Ａには、そのユーザのユーザＩＤおよびパスワードを示すデータが含まれている。さらに、そのユーザの指紋の画像を再現するための指紋画像データが含まれている。
【００４２】
ユーザデータ６Ａは、次のようにして生成されユーザデータ記憶部１２１に記憶される。新たなユーザが増えると、画像形成装置１の管理者は、操作パネル１０ｆを操作して、画像形成装置１を新規ユーザ登録モードに切り換える。さらに、そのユーザのユニークなユーザＩＤを決め、それを入力する。
【００４３】
そのユーザは、パスワードを決め、操作パネル１０ｆを操作してそのパスワードを入力する。さらに、生体情報読取装置１０ｎに自分の指紋を読み取らせる。
【００４４】
そして、ユーザデータ記憶部１２１は、入力されたユーザＩＤおよびパスワードを示すデータおよび読み取られた画像の指紋画像データを含むユーザデータ６Ａを生成し記憶する。
【００４５】
ユーザ認証処理部１０１は、操作パネル１０ｆを操作して画像形成装置１を使用するユーザの認証の処理を、ＲＦタグリーダ１０ｍまたは生体情報読取装置１０ｎと連携して、図６に示すような手順で行う。
【００４６】
ユーザが自分の指を生体情報読取装置１０ｎにセットすると、生体情報読取装置１０ｎはその指を検知し（図６の＃３１０でＹｅｓ）、その指の指紋を読み取る（＃３１１）。
【００４７】
ユーザ認証処理部１０１は、読み取られた指紋と、ユーザデータ記憶部１２１に記憶されている各ユーザデータ６Ａの中の指紋画像データによって再現される指紋とを、照合する（＃３１２）。そして、読み取られた指紋といずれかの指紋画像データによって再現される指紋との一致度が閾値以上である場合は（＃３１３でＹｅｓ）、ユーザ認証処理部１０１は、そのユーザがその指紋画像データに係るユーザＩＤを有するユーザであると特定し、そのユーザを認証する（＃３１４）。
【００４８】
または、ユーザが自分のＩＣカード５０をＲＦタグリーダ１０ｍにかざすと、ＲＦタグリーダ１０ｍは、そのＩＣカード５０を検知し（＃３２０でＹｅｓ）、そのＩＣカード５０に記憶されているユーザＩＤを読み取る（＃３２１）。
【００４９】
ユーザ認証処理部１０１は、読み取られたユーザＩＤを、ユーザデータ記憶部１２１に記憶されているユーザデータ６Ａの中から検索する（＃３２２）。そして、そのユーザＩＤが見つかったら（＃３２３でＹｅｓ）、ユーザ認証処理部１０１は、そのユーザがそのユーザＩＤを有するユーザであると特定し、そのユーザを認証する（＃３２４）。
【００５０】
そのほか、ユーザがユーザＩＤおよびパスワードをキーボード１０ｆ２に入力した場合は、ユーザ認証処理部１０１は、ユーザデータ記憶部１２１の中から、そのユーザＩＤおよびパスワードを示すユーザデータ６Ａを検索する。そして、そのユーザデータ６Ａが見つかったら、そのユーザがそのユーザＩＤを有するユーザであると特定し、そのユーザを認証する。
【００５１】
図４に戻って、印刷指令等受付処理部１０２は、ネットワークプリンティングによる印刷のジョブを端末装置２から受け付ける処理を、次のように行う。
【００５２】
ユーザは、自分のユーザＩＤを用いて端末装置２にログインする。端末装置２のキーボードまたはマウスを操作することによって、端末装置２に対して印刷の対象のドキュメントを指定するとともに印刷の指令を与える。この際に、ユーザは、セキュアプリントを所望する場合は、セキュアプリントのオプションボタンをオンにする。
【００５３】
すると、端末装置２はドライバＤＳ１を起動し、ドライバＤＳ１によって次の処理を行う。
【００５４】
セキュアプリントのオプションボタンがオフである場合は、端末装置２は、従来通り、指定されたドキュメントのデータを、画像形成装置１のページ記述言語の印刷データ７Ａに変換し、画像形成装置１に対して、この印刷データ７Ａを送信するとともに、通常の印刷（セキュアプリントでない、ノーマルな印刷。以下、「ノーマルプリント」と記載する。）の指令を与える。
【００５５】
一方、セキュアプリントのオプションボタンがオンである場合は、端末装置２は、図７のようなドキュメント番号入力画面ＨＧ１を端末装置２自身のディスプレイに表示する。ここで、ユーザは、今回の印刷対象のドキュメントのデータを一時的に保存しておくボックスのボックス番号およびこのドキュメントに対して与える１桁のドキュメント番号を入力する。ただし、ユーザは、自分自身が既に印刷の指令を行った他のドキュメントを画像形成装置１が未だ印刷していない場合は、当該他のドキュメントのドキュメント番号と重複しないようにしなければならない。
【００５６】
すると、端末装置２は、指定されたドキュメントのデータを印刷データ７Ａに変換し、画像形成装置１に対して、この印刷データ７Ａと入力されたボックス番号、ドキュメント番号、およびそのユーザのユーザＩＤを示す属性データ７Ｂとを送信するとともに、セキュアプリントの指令を与える。
【００５７】
画像形成装置１において、印刷指令等受付処理部１０２は、端末装置２から送信されてきた印刷データ７Ａ、属性データ７Ｂ、および印刷の指令（ノーマルプリントの指令またはセキュアプリントの指令）を受け付ける。
【００５８】
そして、印刷指令等受付処理部１０２は、その指令の種類に応じて、受け付けた印刷データ７Ａなどを、図８に示すような手順で仕分けする。
【００５９】
その指令の種類がノーマルプリントである場合は（図８の＃７０１でＮｏ）、受け付けた印刷データ７Ａをジョブデータとして印刷ジョブデータ記憶部１２２に記憶させる（＃７０２）。
【００６０】
一方、セキュアプリントである場合は（＃７０１でＹｅｓ）、受け付けた属性データ７Ｂを解析することによって、その属性データ７Ｂに示されるドキュメント番号、ユーザＩＤ、およびボックス番号を特定する（＃７０３）。そして、その印刷データ７Ａを、特定したドキュメント番号およびユーザＩＤと対応付け（＃７０４）、特定したボックス番号のボックスに保存する（＃７０５）。
【００６１】
そのほか、印刷指令等受付処理部１０２は、画像形成装置１の操作パネル１０ｆから印刷などの指令を受け付ける処理をも行う。これについては、後に説明する。
【００６２】
図４に戻って、印刷処理部１０３は、印刷ジョブデータ記憶部１２２に記憶されている印刷データ７Ａに基づいて印刷のジョブを実行する。つまり、印刷処理部１０３は、印刷データ７Ａに基づいて、ドキュメントの画像をビットマップ展開する。そして、印刷装置１０ｈへ用紙を送出する処理を用紙載置部１０ｉに実行させ、そのドキュメントの画像をその用紙に印刷する処理を印刷装置１０ｈに実行させる。
【００６３】
印刷処理部１０３は、原則として、先に印刷データ７Ａが印刷ジョブデータ記憶部１２２に登録（記憶）されたジョブから順に実行する。ジョブの完了後、そのジョブの印刷データ７Ａは印刷ジョブデータ記憶部１２２から削除される。
【００６４】
ボックスに保存された印刷データ７Ａは、それに係るジョブを実行するようにユーザによって指令された後、印刷ジョブデータ記憶部１２２に移動する。そして、印刷処理部１０３によってそのジョブが実行される。また、ユーザは、セキュアプリントのジョブを実行させる際に、操作パネル１０ｆを操作して印刷面およびＮｉｎ１印刷（Ｎｕｐ印刷）に関する条件を指定することができる。この条件は、印刷条件受付処理部１０４によって受け付けられる。
【００６５】
ここで、セキュアプリントのジョブを実行する際の、ユーザ認証処理部１０１、印刷指令等受付処理部１０２、印刷処理部１０３、印刷条件受付処理部１０４、および実行可能ジョブ判別部１０５の処理の手順を、図９のフローチャートなどを参照しながら説明する。
【００６６】
なお、ユーザは、セキュアプリントのジョブのほか、スキャン（原稿の読取り）のジョブを実行させることもできる。そこで、スキャンのジョブの実行に関しても併せて説明する。
【００６７】
端末装置２で１つまたは複数のセキュアプリントの指令を行ったユーザは、画像形成装置１のところへ向かう。そして、次の法則（取決、ルール）に従って、その画像形成装置１のキーボード１０ｆ２を操作する。
【００６８】
「＃」を１回押した後、所望するジョブの種類に対応する番号を押す。具体的には、ボックスに保存されている印刷データ７Ａによるセキュアプリントを所望する場合は、「０」を押す。スキャンを所望する場合は、「１」を押す。なお、セキュアプリントを所望する場合は、この操作を省略することができる。
【００６９】
セキュアプリントを所望する場合は、続いて、印刷対象のドキュメントを、そのドキュメント番号を入力することによって指定する。または、特定のボックスに印刷データ７Ａが保存されているドキュメントを纏めて指定したい場合は、そのボックスのボックス番号を入力する。
【００７０】
さらに、「＊」を１回押した後、所望する印刷面の種類に対応する番号を押す。具体的には、片面印刷を所望する場合は「１」を押す。両面印刷を所望する場合は「２」を押す。片面印刷かつ２ｉｎ１印刷を所望する場合は「３」を押す。両面印刷かつ２ｉｎ１印刷を所望する場合は「４」を押す。週刊誌綴じ印刷を所望する場合は「５」を押す。なお、片面印刷を所望する場合は、この操作を省略することができる。
【００７１】
そして、「＊」を２回押した後、所望する部数を入力する、なお、所望する部数が１部である場合は、この操作を省略することができる。
【００７２】
一方、スキャンを所望する場合は、続いて、スキャンされた原稿の画像のデータの保存先とするボックスのボックス番号を入力する。または、電子メール、ＦＡＸ、またはＦＴＰ（File Transfer Protocol）などのプロトコルによって他の装置にこのデータを転送させることもできる。このときは、予め登録しておいたプログラム宛先の番号（プログラム番号）を入力すればよい。
【００７３】
プログラム宛先には、次のように、プログラム番号および転送用のプロトコルのほか、そのプロトコルによる転送のために必要な情報が示される。
（例＿１）
プログラム番号：１
転送用のプロトコル：Ｅ−Ｍａｉｌ
宛先：ｕｓｅｒ＿Ａ００１＠ａａａ．ｂｂｂ．ｘｘ
カラーモード：フルカラー
解像度：２００ｄｐｉ
ファイル形式：ＰＤＦ
（例＿２）
プログラム番号：２
転送用のプロトコル：ＦＡＸ
宛先：０１２３−４５−６７８９
解像度：２００ｄｐｉ
なお、プログラム番号は、１桁である。
【００７４】
例えば、ユーザは、ドキュメント番号が「１」であるドキュメントを２部だけ片面印刷したい場合は、「＃０１＊１＊＊２」と入力する。または、ジョブの種類および印刷面のボタンを省略して「１＊＊２」と入力してもよい。
【００７５】
または、ボックス番号が「１１１」であるボックスに印刷データ７Ａが保存されているドキュメントを４部ずつ片面印刷かつ２ｉｎ１印刷したい場合は、「＃０１１１＊３＊＊４」と入力する。または、ジョブの種類のボタンを省略して「１１１＊３＊＊４」と入力してもよい。
【００７６】
または、原稿の画像をスキャンしその画像のデータをボックス番号が「１２３」であるボックスに保存したい場合は、「＃１１２３」と入力する。
【００７７】
または、原稿の画像をスキャンしその画像のデータをプログラム番号が「２」であるプログラム宛先に転送したい場合は、「＃１２」と入力する。
【００７８】
ユーザがキーボード１０ｆ２のテンキーを操作して何らかの情報を入力すると（図９の＃２１０でＹｅｓ）、そのユーザが画像形成装置１に未だ認証されておらず（つまりログインしておらず）かつその情報がユーザＩＤおよびパスワードでない場合は（＃２１１でＮｏ、＃２１３でＮｏ）、その情報が上記の法則に基づくものであると考えられるので、印刷指令等受付処理部１０２は、その情報を示すデータをキー入力データ８Ｂとして受け付けて一時的に記憶する（＃２１６）。
【００７９】
このキー入力データ８Ｂは、後述するように、セキュアプリントまたはスキャンのジョブのために用いられる。
【００８０】
入力された情報がユーザＩＤおよびパスワードである場合は（＃２１３でＹｅｓ）、ユーザ認証処理部１０１はユーザ認証の処理を行う（＃２１４）。そして、ログインに成功した場合は（＃２１５でＹｅｓ）、認証状態を「認証済」とし（＃２２３）、印刷処理部１０３などは、ジョブ起動処理を行う（＃２２４）。ジョブ起動処理の手順は、図１０に示す通りである。
【００８１】
すなわち、印刷指令等受付処理部１０２は、キー入力データ８Ｂを記憶している場合は（＃２３１でＹｅｓ）、そのキー入力データ８Ｂに示されるジョブの種類および処理条件（印刷面または解像度など）などを設定したジョブデータを生成し印刷ジョブデータ記憶部１２２に記憶させる（＃２３２、＃２３３）。
【００８２】
この際に、そのジョブの種類がセキュアプリントである場合は、そのユーザのユーザＩＤおよびそのキー入力データ８Ｂに示されるドキュメント番号が対応付けられている印刷データ７Ａを、ボックスから印刷ジョブデータ記憶部１２２に移動させ、そのジョブデータの一部として記憶させる。
【００８３】
または、そのユーザのユーザＩＤに対応付けられかつそのキー入力データ８Ｂに示されるボックス番号のボックスに保存されている印刷データ７Ａを、そのボックスから印刷ジョブデータ記憶部１２２に移動させ、そのジョブデータの一部として記憶させる。印刷データ７Ａが複数ある場合は、１つの印刷データ７Ａを、１つのジョブのジョブデータの一部として記憶させる。
【００８４】
そして、印刷処理部１０３などは、そのジョブの順番が回ってきたら、そのジョブデータに基づいてジョブを実行する（＃２３４（図１５の＃１２０〜＃１２５参照））。
【００８５】
特に、セキュアプリントのジョブの場合は、印刷処理部１０３は、図１１に示すような手順でそのジョブを実行する。そのジョブのスタートの順番が回ってくると（＃５０１でＹｅｓ）、そのジョブのジョブデータに基づいてモードの設定を行うとともに（＃５０２）、印刷データ７Ａに基づいてドキュメントのビットマップ展開などを行う（＃５０３）。そして、そのドキュメントを用紙に印刷する（＃５０４）。
【００８６】
または、スキャンのジョブの場合は、画像形成装置１のＣＰＵ１０ａ、制御用回路１０ｅ、およびスキャナ１０ｇなどは、図１２に示すような手順でそのジョブを実行する。そのジョブのスタートの順番が回ってくると（＃４１０でＹｅｓ）、そのジョブのジョブデータに基づいてモードの設定を行い（＃４１１）、原稿の読取りを行って画像データを生成する（＃４１２）。そして、設定内容に応じて、その画像データをボックスに保存しまたは他の装置に送信する（＃４１３〜＃４１５）。なお、送信の処理は、ＬＡＮインタフェース１０ｊまたはＦＡＸモデム１０ｋによって、図１３に示すような手順で行われる。すなわち、スタートの要求があれば（＃６０１でＹｅｓ）、モードの設定を行い（＃６０２）、画像データを所定のフォーマットに変換する（＃６０３）。そして、変換した画像データを宛先に送信する（＃６０４）。
【００８７】
図１０に戻って、そのジョブのジョブデータを印刷ジョブデータ記憶部１２２に記憶させた後またはジョブの終了後、そのユーザをログアウトさせ、未認証の状態に戻す（＃２３５、＃２３６）。
【００８８】
図１４は画像形成装置１の全体的な処理の流れの例を説明するフローチャート、図１５は全体制御処理の流れの例を説明するフローチャートである。次に、画像形成装置１の全体的な処理について説明する。
【００８９】
画像形成装置１は、電源スイッチがオンの間、図１４に示す全体制御処理（＃１００）、操作パネル処理（＃２００）、認証処理（＃３００）、読取処理（＃４００）、印刷処理（＃５００）、送信処理（＃６００）、およびデータ受信処理（＃７００）などを、適宜、実行する。
【００９０】
画像形成装置１は、全体制御処理を、図１５に示すような手順で実行する。ユーザが操作パネル１０ｆを操作すると（＃１１０でＹｅｓ）、それに応じて印刷またはスキャンなどの処理を行う（＃１２０〜＃１２５）。印刷処理の手順は、前に図１１で説明した通りである。いわゆるＳｃａｎ  Ｔｏ  Ｂｏｘの処理の場合は、読取処理およびボックスへの保存の処理を行う。読取処理の手順は、前に図１２で説明した通りである。いわゆるＳｃａｎ送信の処理の場合は、読取処理および送信処理を行う。送信処理の手順は、前に図１３で説明した通りである。
【００９１】
または、ユーザがスタートボタン以外のキーまたはボタンを操作すると、画像形成装置１は、操作パネル処理を実行する（＃２００）。操作パネル処理の手順は、前に図９で説明した通りである。
【００９２】
または、ＩＣカード５０または指がセットされると、画像形成装置１は、ユーザ認証処理を実行する（＃３００）。ユーザ認証処理の手順は、前に図６で説明した通りである。
【００９３】
または、端末装置２からの印刷データ７Ａまたは属性データ７Ｂなどを受信する処理を行う（＃７００）。この処理の手順は、前に図８で説明した通りである。
【００９４】
本実施形態によると、ユーザは、セキュアプリントの際に複数のドキュメントの中から印刷対象を従来よりも簡単に指定することができる。
【００９５】
本実施形態では、生体認証の情報として指の指紋の画像を用いたが、声紋、虹彩、または筆跡などの情報を用いてもよい。
【００９６】
その他、画像処理システム３、画像形成装置１の全体または各部の構成、処理内容、処理順序、データの構成などは、本発明の趣旨に沿って適宜変更することができる。
【図面の簡単な説明】
【００９７】
【図１】画像処理システムの全体的な構成の例を示す図である。
【図２】画像形成装置のハードウェア構成の例を示す図である。
【図３】操作パネルの例を示す図である。
【図４】画像形成装置の機能的構成の例を示す図である。
【図５】ユーザデータの例を示す図である。
【図６】ユーザ認証処理の流れの例を説明するフローチャートである。
【図７】ドキュメント番号入力画面ＨＧ１の例を示す図である。
【図８】データ受信処理の流れの例を説明するフローチャートである。
【図９】操作パネル処理の流れの例を説明するフローチャートである。
【図１０】ジョブ起動処理の流れの例を説明するフローチャートである。
【図１１】印刷処理の流れの例を説明するフローチャートである。
【図１２】読取処理の流れの例を説明するフローチャートである。
【図１３】送信処理の流れの例を説明するフローチャートである。
【図１４】画像形成装置の全体的な処理の流れの例を説明するフローチャートである。
【図１５】全体制御処理の流れの例を説明するフローチャートである。
【符号の説明】
【００９８】
１  画像形成装置（印刷装置）
１０１  ユーザ認証処理部（ユーザ認証手段）
１０２  印刷指令等受付処理部（受信手段）
１０３  印刷処理部（印刷手段）
１０ｆ  操作パネル（入力手段）
１０ｈ  印刷装置（印刷手段）
２  端末装置（他の装置）
【図１】
2009298090.tif 000003
【図２】
2009298090.tif 000004
【図３】
2009298090.tif 000005
【図４】
2009298090.tif 000006
【図５】
2009298090.tif 000007
【図６】
2009298090.tif 000008
【図７】
2009298090.tif 000009
【図８】
2009298090.tif 000010
【図９】
2009298090.tif 000011
【図１０】
2009298090.tif 000012
【図１１】
2009298090.tif 000013
【図１２】
2009298090.tif 000014
【図１３】
2009298090.tif 000015
【図１４】
2009298090.tif 000016
【図１５】
2009298090.tif 000017